(57)【要約】【課題】より効果的に広告を提供することができる経路案内方法、経路案内装置、および経路案内プログラムを提供すること。【解決手段】情報処理装置が、情報処理装置が、出発地から目的地までの経路を生成する生成処理と、前記経路に関するサービスを提供している広告主に関連する情報を、前記経路に対応付けて通知する通知処理と、前記経路を案内する案内処理と、を実行する、経路案内方法。【選択図】図１
2018026035.tif 000002
【特許請求の範囲】
【請求項１】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
を実行する、経路案内方法。
【請求項２】
前記通知処理は、前記案内処理において前記経路の案内を開始する場面または前記経路の案内を終了する場面の少なくとも一方において実行される、
請求項１に記載の経路案内方法。
【請求項３】
前記通知処理は、更に、前記案内処理において前記出発地から前記目的地までの途中の経路を案内している場面においても実行される、
請求項２に記載の経路案内方法。
【請求項４】
前記通知処理において、前記広告主に関連する広告を表す音声を出力する、
請求項１から３のうちいずれか１項に記載の経路案内方法。
【請求項５】
前記情報処理装置が、更に、
広告主端末から経路に関連する地点の属性を指定した依頼を受け付ける受付処理と、
前記生成処理において生成した前記経路に関連する地点の属性に基づいて、前記広告主に関連する情報を取得する取得処理と、を実行し、
前記通知処理において、前記取得処理において取得した前記広告主に関連する情報を通知する、
請求項１から４のいずれか１項に記載の経路案内方法。
【請求項６】
前記経路に関連する地点の特徴は、前記出発地、前記目的地、または中継地の少なくとも一つを含み、
前記取得処理において、生成した前記経路の出発地、目的地、または中継地の少なくとも一つに基づいて、前記広告主に関連する情報を取得する、
請求項５に記載の経路案内方法。
【請求項７】
前記経路に関連する地点の属性は、前記経路の付近に位置する施設が属するカテゴリを含み、
前記取得処理において、生成した前記経路の付近に位置する施設が属するカテゴリに基づいて、前記広告主に関連する情報を取得する、
請求項５に記載の経路案内方法。
【請求項８】
前記情報処理装置が、更に、
広告主端末から曜日、時間帯、季節、日柄、または天候のうち少なくとも一つの属性を指定した依頼を受け付ける受付処理と、
前記生成処理において生成した前記経路に関連する曜日、時間帯、季節、日柄、または天候のうち少なくとも一つの属性に基づいて、前記広告主に関連する情報を取得する取得処理と、を実行し、
前記通知処理において、前記取得処理において取得した前記広告主に関連する情報を通知する、
請求項１から４のいずれか１項に記載の経路案内方法。
【請求項９】
前記情報処理装置が、更に、
広告主端末から車両の走行状態を指定した依頼を受け付ける受付処理と、
実際の車両の走行状態に基づいて、前記広告主に関連する情報を取得する取得処理と、を実行し、
前記通知処理において、前記取得処理において取得した前記広告主に関連する情報を通知する、
請求項１から４のいずれか１項に記載の経路案内方法。
【請求項１０】
前記情報処理装置が、
前記生成処理において、前記経路を複数生成し、
生成した複数の経路のそれぞれに、互いに異なる広告主に関連する情報を対応付けて通知し、
更に、通知した前記複数の経路のうちいずれかの前記経路を選択する操作を受け付ける受付処理を実行する、
請求項１から９のうちいずれか１項に記載の経路案内方法。
【請求項１１】
前記情報処理装置が、
前記通知処理において、生成した前記経路に関するサービスを提供する場合において、通知することを予定する広告に関する情報を通知する、
請求項１から１０のいずれか１項に経路案内方法。
【請求項１２】
端末装置からの要求に基づいて出発地から目的地までの経路を生成する生成部と、
前記生成部により生成された経路に関するサービスを提供する広告主に関連する情報を取得する取得部と、
前記取得部に取得された前記広告主に関連する情報を、前記生成部により生成された前記経路に対応付けて通知する通知部と
を備える、経路探索装置。
【請求項１３】
コンピュータに、
経路を探索する要求を経路探索装置に送信させ、
前記要求に対して前記経路探索装置から受信した情報に基づいて、前記経路に関するサービスを提供している広告主に関連する情報を、前記経路に対応付けて通知させる、
経路探索プログラム。
【発明の詳細な説明】
【技術分野】
【０００１】
本発明は、経路案内方法、経路案内装置、および経路案内プログラムに関する。
【背景技術】
【０００２】
従来、スマートフォンやタブレットなどの汎用的な情報処理装置にインストールされたブラウザやアプリケーションプログラムを用いて、経路案内などを行う技術が知られている。これに関連し、情報提供料などの費用を低減するため、音声による経路案内と共に、目的地までの経路に存在する店舗に関する情報（広告）を出力することで、広告主から広告料を徴収する技術が知られている（特許文献１を参照）。
【先行技術文献】
【特許文献】
【０００３】
【特許文献１】特開２００４−１０８９８５号公報
【発明の概要】
【発明が解決しようとする課題】
【０００４】
しかしながら、従来の技術では、ユーザが進行方向などの音声を聞き漏らさないように注意を払っている最中に音声広告を出力することで、音声広告がユーザに不快感を与えたり、音声広告がユーザの印象に残らなかったりする可能性があり、効果的に広告を提供することができない場合があった。
【０００５】
本発明は、このような事情を考慮してなされたものであり、より効果的に広告を提供することができる経路案内方法、経路案内装置、および経路案内プログラムを提供することを目的の一つとする。
【課題を解決するための手段】
【０００６】
本発明の一態様は、情報処理装置が、出発地から目的地までの経路を生成する生成処理と、前記経路に関するサービスを提供している広告主に関連する情報を、前記経路に対応付けて通知する通知処理と、前記経路を案内する案内処理と、を実行する、経路案内方法である。
【発明の効果】
【０００７】
本発明の一態様によれば、より効果的に広告を提供することができる。
【図面の簡単な説明】
【０００８】
【図１】実施形態の経路案内システム１の一例を示す構成図である。
【図２】広告情報データベース３３２の一例を示す図である。
【図３】経路および広告関連情報を表示するための経路一覧コンテンツの一例を示す図である。
【図４】経路および広告関連情報を表示するための経路表示コンテンツ１２３の一例を示す図である。
【図５】経路表示コンテンツ１２３−１および１２３−２の一例を示す図である。
【図６】経路および広告関連情報を表示するための経路一覧コンテンツの他の一例を示す図である。
【図７】経路表示コンテンツ１２３Ａの他の一例を示す図である。
【図８】経路一覧コンテンツの他の一例を示す図である。
【図９】経路選択用コンテンツ１２１の他の一例を示す図である。
【図１０】経路案内システム１全体の処理の流れの一例を示すシーケンス図である。
【図１１】経路案内装置３００の内部処理の流れの一例を示すフローチャートである。
【図１２】第１変形例の経路案内システム１Ａを示す構成図である。
【図１３】第２変形例のナビゲーション装置４００を示す構成図である。
【図１４】端末装置１００、および経路案内装置３００のハードウェア構成の一例を示す図である。
【発明を実施するための形態】
【０００９】
以下、図面を参照し、本発明の経路案内方法、経路案内装置、および経路案内プログラムの実施形態について説明する。実施形態の経路案内方法は、例えば車両に乗ったユーザによりスマートフォンやタブレット端末などの情報処理装置が操作されることで、車両の経路を生成し、ユーザに車両の経路を案内する経路案内サービスを提供するものである。実施形態の経路案内方法は、経路案内サービスを提供している広告主に関連する情報を、生成した経路に対応付けて通知する。実施形態の経路案内方法は、経路に対応させた広告主に関連した情報を通知することで、当該経路に対して広告主に関連した情報を印象付けることができる。これにより、実施形態の経路案内方法は、より効果的に広告を提供することができる。
【００１０】
＜第１実施形態＞
［経路案内システム１の構成］
図１は、実施形態の経路案内システム１の一例を示す構成図である。経路案内システム１は、例えば、端末装置１００と、広告主端末２００と、経路案内装置３００とを備える。図１の例では、端末装置１００と、一以上の広告主端末２００と、経路案内装置３００とが、ネットワークＮＷに接続されている。
【００１１】
ネットワークＮＷに接続される端末装置１００、広告主端末２００、および経路案内装置３００は、ＮＩＣ（Network Interface Card）や無線通信モジュールなどの通信インターフェースを備えている（図１では不図示）。ネットワークＮＷは、例えば、無線基地局、Ｗｉ−Ｆｉアクセスポイント、通信回線、プロバイダ、インターネットなどを含む。なお、これらの構成要素の全ての組み合わせが相互に通信可能である必要はなく、ネットワークＮＷは、一部にローカルなネットワークを含んでもよい。なお、図１の例では、端末装置１００と経路案内装置３００とが接続されたネットワークＮＷと、広告主端末２００と経路案内装置３００とが接続されたネットワークＮＷとを分けて示しているが、２つのネットワークＮＷは異なるネットワークであってもよい。
【００１２】
（端末装置１００の構成）
端末装置１００は、例えば、操作部１１０と、表示部１２０と、音声出力部１３０と、ＵＡ（User Agent）部１４０と、位置取得部１５０とを備える。端末装置１００は、ユーザ（一般利用者）によって使用される装置である。端末装置１００は、例えば、スマートフォンなどの携帯電話、タブレット端末などのコンピュータ装置（通信装置）である。端末装置１００は、ウェブブラウザなどのＵＡ部１４０が起動し、操作部１１０によりユーザによる所定の操作を受け付けることで、経路案内装置３００に対してＨＴＴＰ（Hypertext Transfer Protocol）リクエストを送信する。そして、端末装置１００は、経路案内装置３００から返信された処理結果を含むウェブページに基づいてウェブ画面を生成して表示部１２０を用いて表示すると共に、音声出力部１３０を用いて音声を出力する。
【００１３】
位置取得部１５０は、例えば、ＧＮＳＳ（Global Navigation Satellite System）受信機である。位置取得部１５０は、所定期間ごとに、自車両Ｍの位置を特定し、特定した位置情報を、経路案内装置３００に送信する。
【００１４】
（広告主端末２００の構成）
広告主端末２００は、広告主によって使用される装置である。広告主端末２００は、例えば、スマートフォンなどの携帯電話、タブレット端末、パーソナルコンピュータなどのコンピュータ装置（通信装置）である。広告主端末２００は、ウェブブラウザなどのＵＡが起動し、広告主によって所定の操作がなされることで、経路案内装置３００に対して広告に関する情報を含むＨＴＴＰリクエストを送信する。
【００１５】
（経路案内装置３００の構成）
経路案内装置３００は、例えば、地図データベース記憶部３１０と、経路探索部３２０と、広告情報データベース記憶部３３０と、広告情報登録部３４０と、広告取得部３５０とを備える。経路探索部３２０、広告情報登録部３４０、および広告取得部３５０は、経路案内装置３００のプロセッサがプログラムを実行することで実現されてもよいし、ＬＳＩ（Large Scale Integration）、ＡＳＩＣ（Application Specific Integrated Circuit）、ＦＰＧＡ（Field-Programmable Gate Array）などのハードウェアによって実現されてもよいし、ソフトウェアとハードウェアが協働することで実現されてもよい。なお、経路探索部３２０、広告情報登録部３４０、および広告取得部３５０は経路案内装置３００に含まれているが、これに限定されず、経路探索部３２０、広告情報登録部３４０、および広告取得部３５０の一部は、他の装置に包含されてもよい。
【００１６】
地図データベース記憶部３１０、および広告情報データベース記憶部３３０は、ＨＤＤ（Hard Disk Drive）やフラッシュメモリ、ＲＡＭ（Random Access Memory）、ＲＯＭ（Read Only Memory）、或いはこれらのうち複数を組み合わせたハイブリッド型記憶装置により実現される。また、地図データベース記憶部３１０、および広告情報データベース記憶部３３０の一部または全部は、ＮＡＳ（Network Attached Storage）や外部のストレージサーバなど、経路案内装置３００がアクセス可能な外部装置であってよい。
【００１７】
地図データベース記憶部３１０は、道路情報、施設情報、および住所情報（住所・郵便番号）などが含まれている地図データベースを記憶する。道路情報には、高速道路、有料道路、国道、都道府県道といった道路の種別を表す情報が含まれている。施設情報には、公共施設や娯楽施設などの施設、名所や旧跡などの観光スポット、ランドマークなどを表す情報が含まれている。
【００１８】
経路探索部３２０は、端末装置１００から受信した目的地、現在位置（出発地）などを含むリクエストを受信した場合に、地図データベース記憶部３１０における道路情報を参照して、出発地から目的地までの経路を表す経路情報を生成する。また、経路探索部３２０は、端末装置１００の現在位置および経路情報に基づいて経路を案内する経路案内情報を生成する。経路探索部３２０は、経路情報および経路案内情報を端末装置１００に送信する。なお、経路探索部３２０は、端末装置１００から目的地を受信していない場合において、目的地を提案する要求を受信した場合、ユーザに推薦する目的地を取得して経路を生成してもよい。
【００１９】
広告情報データベース記憶部３３０は、広告情報データベースを記憶する。図２は、広告情報データベース３３２の一例を示す図である。広告情報データベース３３２は、広告ＩＤに、属性、広告関連情報、広告主、表示回数、選択回数、および音声案内回数を対応付けた情報である。
【００２０】
属性は、広告関連情報を通知するための条件を表す情報である。属性は、例えば、目的地、出発地、施設のカテゴリ、曜日、祝祭日、時間帯、六曜やお正月などの日柄、季節、天候、渋滞時、混雑時または非混雑時などの道路混雑状況、５０ｋｍ走行時などの走行状態を表す情報である。広告関連情報は、広告を表す情報である。広告関連情報は、例えば、会社名、製品名、サービス名、これらに関連するロゴ、フレーズ、またはメッセージを表すテキスト情報、アイコンなどの絵柄、音声、音楽、効果音である。広告主は、広告主を表す情報である。表示回数は、端末装置１００において広告関連情報が表示された回数を表す情報である。選択回数は、端末装置１００において広告関連情報に対応した経路が選択された回数を表す情報である。音声案内回数は、端末装置１００において広告関連情報が音声で出力された回数を表す情報である。
【００２１】
広告情報登録部３４０は、広告主端末２００から受け付けた経路案内サービスに関する依頼に基づいて広告関連情報を広告情報データベース記憶部３３０に記憶する。経路案内サービスに関する依頼とは、経路案内サービスを提供する際に広告を提供する依頼、経路案内サービスを運営するための資金等を提供する依頼である。
【００２２】
広告取得部３５０は、経路探索部３２０により生成された経路情報に基づいて、広告情報データベース記憶部３３０から経路に対応付ける広告関連情報を取得する。広告取得部３５０は、取得した広告関連情報を経路探索部３２０に出力することで、経路探索部３２０を用いて、広告関連情報を端末装置１００に提供する。
【００２３】
［広告関連情報の通知処理］
以下、広告関連情報を経路に対応付けて通知する処理について説明する。図３は、経路および広告関連情報を表示するための経路一覧コンテンツの一例を示す図である。経路案内装置３００において２つの出発地から目的地までの経路−１および経路−２が生成されたものとする。この場合、端末装置１００は、図３に示すような経路一覧コンテンツを表示する。経路一覧コンテンツには、経路−１を選択するための経路選択用コンテンツ１２１−１と、経路−２を選択するための経路選択用コンテンツ１２１−２と、経路−１に対応付けられたアイコン１２２−１と、経路−２に対応付けられたアイコン１２２−２とが含まれている。
【００２４】
経路選択用コンテンツ１２１−１は、例えば、経路−１を説明する文字を含む画像である。経路選択用コンテンツ１２１−２は、例えば、経路−２を説明する文字を含む画像である。アイコン１２２−１および１２２−２は、広告関連情報の一例であって、例えば、広告主の会社や製品、サービスなどを連想させるための画像である。アイコン１２２−１は、経路選択用コンテンツ１２１−１に重畳されることで、経路−１に対応付けられている。アイコン１２２−２は、経路選択用コンテンツ１２１−２に重畳されることで、経路−２に対応付けられている。
【００２５】
図４は、経路および広告関連情報を表示するための経路表示コンテンツ１２３の一例を示す図である。端末装置１００は、図４に示すような経路表示コンテンツ１２３を表示する。経路表示コンテンツ１２３は、例えば、地図画像に経路および広告関連情報を重畳した画像である。経路表示コンテンツ１２３には、例えば、経路−１を表す経路画像１２４−１と、経路−２を表す経路画像１２４−２と、経路−１に対応付けられたアイコン１２２−１と、経路−２に対応付けられたアイコン１２２−２とが含まれている。アイコン１２２−１は、経路画像１２４−１に隣接されることで、経路−１に対応付けられている。アイコン１２２−２は、経路画像１２４−２に隣接されることで、経路−２に対応付けられている。端末装置１００は、経路表示コンテンツ１２３を表示することで、経路−１と経路−２とを比較して表示する。アイコン１２２−１および１２２−２は、ユーザが経路を選択するためのコンテンツとして機能する。
【００２６】
図５は、経路表示コンテンツ１２３−１および１２３−２の一例を示す図である。経路表示コンテンツ１２３−１および１２３−２は、例えば、地図画像に経路および広告関連情報を重畳した画像である。経路表示コンテンツ１２３−１には、図５（ａ）に示すように、経路−１を表す経路画像１２４−１と、経路−１に対応付けられたアイコン１２２−１と、経路切り替えボタン１２５−１とが含まれている。経路表示コンテンツ１２３−２には、図５（ｂ）に示すように、経路−２を表す経路画像１２４−２と、経路−２に対応付けられたアイコン１２２−２と、経路切り替えボタン１２５−２とが含まれている。
【００２７】
端末装置１００は、経路表示コンテンツ１２３−１を表示している状態で画像切り替えボタン１２５−１に対する操作を受け付けた場合、表示画像を経路表示コンテンツ１２３−２に切り替える。端末装置１００は、経路表示コンテンツ１２３−２を表示している状態で画像切り替えボタン１２５−２に対する操作を受け付けた場合、表示画像を経路表示コンテンツ１２３−１に切り替える。これにより、端末装置１００は、経路−１と経路−２とを順次表示する。
【００２８】
図６は、経路および広告関連情報を表示するための経路一覧コンテンツの他の一例を示す図である。経路一覧コンテンツには、経路−１を選択するための経路選択用コンテンツ１２１−１と、経路−２を選択するための経路選択用コンテンツ１２１−２と、文字コンテンツ１２２Ａとを含む。文字コンテンツ１２２Ａは、広告関連情報の一例であって、「Sponsored by ○○社」という○○社という会社名を認識させる情報である。文字コンテンツ１２２Ａは、経路表示コンテンツ１２３Ａ中に表示されることで、２つの経路に対応付けられている。文字コンテンツ１２２Ａは、会社名に限らず、広告主の会社や製品名、サービス名、その他のロゴ、フレーズまたはメッセージなどであってもよい。
【００２９】
図７は、経路表示コンテンツ１２３Ａの他の一例を示す図である。経路表示コンテンツ１２３Ａは、地図画像に、経路および広告関連情報を重畳した画像である。経路表示コンテンツ１２３Ａには、経路画像１２４−１および経路画像１２４−２と、文字コンテンツ１２２Ｂとを含む。文字コンテンツ１２２Ｂは、広告関連情報の一例であって、文字コンテンツ１２２Ａと同様に、○○社という会社名を認識させる情報である。文字コンテンツ１２２Ｂは、経路画像１２４に隣接して表示されることで、２つの経路に対応付けられている。文字コンテンツ１２２Ｂは、会社名に限らず、広告主の会社や製品名、サービス名、その他のロゴ、フレーズまたはメッセージなどであってもよい。
【００３０】
図８は、経路一覧コンテンツの他の一例を示す図である。端末装置１００は、経路−３に対応付けられた広告関連情報がない場合、経路選択用コンテンツ１２１にアイコン１２２を重畳させなくてよい。
【００３１】
図９は、経路選択用コンテンツ１２１の他の一例を示す図である。端末装置１００は、経路案内装置３００により生成された経路が一つである場合、一つの経路のみを表示する。
【００３２】
端末装置１００は、広告関連情報として経路を案内している最中に通知する予定の広告がある場合、通知する予定の広告を表すサムネイル画像１２６−１および１２６−２を表示してもよい。サムネイル画像１２６−１および１２６−２は、経路案内サービスを提供している広告主の会社や製品、サービスなどを連想させるための画像である。更に、端末装置１００は、サムネイル画像１２６−１および１２６−２を、経路−１に含まれる地点に対応付けて表示してもよい。端末装置１００は、例えば、経路−１に車メーカが対応付けられている場合、出発地に対応してスポーツカーを表すサムネイル画像１２６−１を表示し、出口ＩＣに対応してファミリーカーを表すサムネイル画像１２６−２を表示する。
【００３３】
（音声による通知処理）
上述した図３から図９を参照した広告関連情報の通知処理は、画像などのコンテンツを表示する処理に限らず、画像などのコンテンツと共に、または画像などのコンテンツに代えて、音声により出力することで広告関連情報を通知してよい。例えば、図３に示したようにアイコン１２２を通知すると共に、またはアイコン１２２を通知することに代えて、広告主の会社や製品、サービスなどを連想させるための音声を出力してよい。さらに、図６に示したような文字コンテンツ１２２Ａを通知すると共に、または文字コンテンツ１２２Ａに代えて、「スポンサードバイ○○社」という音声を出力してもよい。
【００３４】
［経路案内システム１の処理］
（経路案内システム１全体の処理）
図１０は、経路案内システム１全体の処理の流れの一例を示すシーケンス図である。まず広告主端末２００は、広告主、属性、および広告関連情報を指定した依頼情報を送信する（Ｓ１０）。経路案内装置３００は、依頼情報を受信したことに応じ、広告登録処理を行う（Ｓ１２）。広告登録処理は、広告情報登録部３４０により、ＩＤに対応付けて、依頼情報により指定された広告主、属性、および広告関連情報を広告情報データベース３３２に記憶する処理である。経路案内装置３００は、広告登録処理を完了したことに応じ、完了通知を広告主端末２００に送信する（Ｓ１４）。
【００３５】
端末装置１００は、経路案内サービスを受けるため、出発地および目的地などを含むＨＴＴＰリクエストを経路案内装置３００に送信する（Ｓ２０）。ＨＴＴＰリクエストには、中継地や経路生成の条件が含まれていてもよい。経路案内装置３００は、ＨＴＴＰリクエストを受信したことに応じ、出発地から目的地までの経路を生成する経路生成処理を行う（Ｓ２２）。経路案内装置３００は、生成した経路に基づいて広告関連情報を取得する。経路案内装置３００は、生成した経路を表す経路情報を端末装置１００に送信する（Ｓ２４）。経路案内装置３００は、経路情報と共に広告関連情報を端末装置１００に送信することで、広告関連情報を通知してもよい。
【００３６】
端末装置１００は、経路情報を受信したことに応じ、経路情報を表示する（Ｓ２６）。端末装置１００は、広告関連情報を受信した場合、広告関連情報を経路に対応付けて通知する。端末装置１００は、経路が複数存在する場合において、一つの経路を選択する操作を受け付けた場合、選択された経路を表す情報を経路案内装置３００に送信する（Ｓ２８）。端末装置１００は、経路が一つしか存在しない場合、選択された経路を表す情報を経路案内装置３００には送信しない。
【００３７】
経路案内装置３００は、広告関連情報を端末装置１００に送信することで広告関連情報を通知した場合、広告情報データベース３３２において広告関連情報に対応する表示回数、選択回数、または音声案内回数を更新する。これにより、経路案内装置３００は、広告関連情報を通知した履歴を登録する（Ｓ３０）。
【００３８】
経路案内装置３００は、端末装置１００から受信した位置情報に基づいて、生成した経路に沿った進行方向などを案内する案内情報を生成する経路案内処理を行う（Ｓ３４）。経路案内装置３００は、生成した案内情報を端末装置１００に送信する（Ｓ３６）。
経路案内装置３００は、案内情報と共に広告関連情報を端末装置１００に送信することで、広告関連情報を通知してもよい。
【００３９】
経路案内装置３００は、端末装置１００から受信した位置情報に基づいて経路案内を終了すると判定した場合、経路案内を終了する（Ｓ３８）。経路案内装置３００は、経路案内を終了することを通知する終了通知を端末装置１００に送信する（Ｓ４０）。経路案内装置３００は、終了通知と共に広告関連情報を端末装置１００に送信することで、広告関連情報を通知してよい。
【００４０】
経路案内装置３００は、経路案内の最中または経路案内の終了の際に広告関連情報を通知した場合、広告情報データベース３３２において広告関連情報に対応する表示回数、選択回数、または音声案内回数を更新する。これにより、経路案内装置３００は、広告関連情報を通知した履歴を登録する（Ｓ４２）。経路案内装置３００は、登録した履歴を、広告主端末２００に通知する（Ｓ４４）。
【００４１】
（経路案内装置３００の内部処理）
図１１は、経路案内装置３００の内部処理の流れの一例を示すフローチャートである。まず経路案内装置３００は、端末装置１００から経路を生成するＨＴＴＰリクエストを受信したか否かを判定する（Ｓ１００）。経路案内装置３００は、ＨＴＴＰリクエストを受信していない場合、本フローチャートの処理を終了する。経路案内装置３００は、ＨＴＴＰリクエストを受信した場合、経路生成処理を行う（Ｓ１０２）。次に経路案内装置３００は、生成した経路について経路案内サービスを提供する広告主の広告関連情報を取得する（Ｓ１０４）。
【００４２】
次に経路案内装置３００は、取得した広告関連情報の通知タイミングであるか否かを判定する（Ｓ１０６）。経路案内装置３００は、取得した広告関連情報の通知タイミングである場合、経路および広告関連情報を通知する（Ｓ１０８）。経路案内装置３００は、取得した広告関連情報の通知タイミングではない場合、取得した広告関連情報を通知せず、生成した経路を通知する（Ｓ１１０）。これにより、経路案内装置３００は、生成した経路をユーザに紹介した時点で、広告関連情報を通知することができる。
【００４３】
次に経路案内装置３００は、経路案内を開始するか否かを判定する（Ｓ１１２）。経路案内装置３００は、例えば、生成した経路が１つである場合において所定時間を経過した場合、経路案内を開始する操作に基づく情報を端末装置１００から受信した場合、または複数の経路のうちいずれかの経路を選択した操作に基づく情報を受信した場合のいずれかが満たされた場合に、経路案内を開始すると判定する。経路案内装置３００は、経路案内を開始しない場合、本フローチャートの処理を終了する。
【００４４】
経路案内装置３００は、経路案内を開始する場合、経路案内処理を行う（Ｓ１１６）。経路案内装置３００は、経路案内処理を行っている最中において、広告関連情報の通知タイミングが到来したか否かを判定する（Ｓ１１６）。経路案内装置３００は、広告情報データベース３３２に登録された属性に該当した場合に、広告関連情報の通知タイミングが到来したと判定する。
【００４５】
経路案内装置３００は、広告関連情報の通知タイミングが到来したと判定した場合、該当した属性に対応する広告関連情報を取得し（Ｓ１１８）、取得した広告関連情報の通知する（Ｓ１２０）。経路案内装置３００は、広告関連情報の通知タイミングが到来していない場合、経路案内を終了するか否かを判定する（Ｓ１２２）。経路案内装置３００は、経路案内を終了しない場合、処理をＳ１１６に戻す。
【００４６】
経路案内装置３００は、経路案内を終了する場合、広告関連情報を通知するか否かを判定する（Ｓ１２４）。経路案内装置３００は、広告情報データベース３３２の属性として経路案内の終了時や目的地に到着した時を表す情報が登録されている場合、当該属性に対応する広告関連情報を通知する（Ｓ１２６）。経路案内装置３００は、広告関連情報を通知しない場合、処理を終了する。
【００４７】
（広告関連情報の取得処理および通知処理の具体例）
（１）地点に関する具体例
経路案内装置３００は、広告主端末２００から経路に関連する地点の属性を指定した依頼を受け付ける。経路に関連する地点の属性は、例えば、出発地、目的地、経由地の他、経路途中の地点の地名、地域名である。経路案内装置３００は、経路を生成した場合、経路の出発地、目的地、経由地、経路途中の地点が、広告情報データベース３３２に登録されているか否かを判定する。経路案内装置３００は、経路の出発地などの地点が広告情報データベース３３２に登録されている場合、登録されている経路の出発地などの地点に対応する広告関連情報を取得する。
【００４８】
経路案内装置３００は、生成した経路を通知すると共に広告関連情報を通知する。これに限らず、経路案内装置３００は、端末装置１００が出発地に位置する場合に、広告情報データベース３３２において出発地に対応する広告関連情報を通知してもよい。さらに、経路案内装置３００は、経路の経由地、経路途中の地点または目的地に近づいた場合に、広告情報データベース３３２において経路の経由地、経路途中の地点または目的地に対応する広告関連情報を通知してもよい。
【００４９】
（２）施設が属するカテゴリに関する具体例
経路案内装置３００は、広告主端末２００から経路に関連する施設が属するカテゴリを指定した依頼を受け付ける。施設が属するカテゴリは、例えば、公共施設や娯楽施設などの施設、名所や旧跡などの観光スポット、ランドマークのカテゴリである。経路案内装置３００は、経路を生成した場合、経路付近の施設が属するカテゴリが、広告情報データベース３３２に登録されているか否かを判定する。経路案内装置３００は、経路付近の施設が属するカテゴリが広告情報データベース３３２に登録されている場合、登録されている経路付近の施設が属するカテゴリに対応する広告関連情報を取得する。
【００５０】
経路案内装置３００は、生成した経路を通知すると共に広告関連情報を通知する。これに限らず、経路案内装置３００は、経路付近の施設に近づいた場合に、広告情報データベース３３２において施設が属するカテゴリに対応する広告関連情報を通知してもよい。
【００５１】
（３）曜日などに関する具体例
経路案内装置３００は、広告主端末２００から曜日、時間帯、季節、日柄、または天候を指定した依頼を受け付ける。日柄は、例えば、祝日や六曜、クリスマスなどのである。経路案内装置３００は、経路を生成した場合、現在の曜日などを取得し、取得した曜日などが、広告情報データベース３３２に登録されているか否かを判定する。経路案内装置３００は、取得した曜日などが広告情報データベース３３２に登録されている場合、登録されている曜日などに対応する広告関連情報を取得する。
【００５２】
経路案内装置３００は、経路を通知すると共に広告関連情報を通知する。これに限らず、経路案内装置３００は、現在時刻が広告情報データベース３３２において登録された時間帯に該当する場合に、広告情報データベース３３２において時間帯に対応する広告関連情報を通知してもよい。さらに、経路案内装置３００は、現在の天候が広告情報データベース３３２において登録された天候に変化した場合に、広告情報データベース３３２において天候に対応する広告関連情報を通知してもよい。経路案内装置３００は、例えば、天候が晴れから雨に変更した場合に、雨傘メーカが依頼した広告関連情報を通知することができる。
【００５３】
（４）走行状態に関する具体例
経路案内装置３００は、広告主端末２００から走行状態を指定した依頼を受け付ける。走行状態は、例えば、渋滞している道路を走行している状態、高速道路をスムーズに走行している状態、連続して走行している距離である。経路案内装置３００は、端末装置１００から受信した位置情報に基づいて走行状態を判定し、判定した走行状態が、広告情報データベース３３２に登録されているか否かを判定する。経路案内装置３００は、判定した走行状態が広告情報データベース３３２に登録されている場合、走行状態に対応する広告関連情報を取得する。経路案内装置３００は、広告関連情報を取得したことに応じ、取得した広告関連情報を通知する。これにより、経路案内装置３００は、例えば、１００ｋｍ連続して車両を運転しているユーザに、給油に関する広告主の広告関連情報を提供することができる。
【００５４】
［実施形態の効果］
以上説明した経路案内システム１によれば、経路に関するサービスを提供している広告主に関連する情報を、経路案内装置３００により生成した経路に対応付けて通知するので、経路に対して広告主を印象付けることができる。この結果、経路案内システム１によれば、より効果的に広告を提供することができる。
【００５５】
また、経路案内システム１によれば、複数の経路が生成された場合に、各経路に対応付けて広告関連情報を通知しなくても、複数の経路を含む探索結果に広告関連情報を対応付けて通知する。これにより、経路案内システム１によれば、各経路に対して広告を掲載しなくても、経路案内サービスに広告主を対応付けることができる。この結果、経路案内システム１によれば、無料または安価な経路案内サービスが広告主の支出により運営されていることをユーザに印象付けることができる。この結果、経路案内システム１によれば、広告主のイメージアップを図ることができる。
【００５６】
さらに、経路案内システム１によれば、広告主に対応付けて表示回数、選択回数、または音声案内回数を記録することで、各回数に応じて課金を行うことができる。この結果、経路案内システム１によれば、無料または安価な経路案内サービスを提供しても、サービスの採算化を計ることができる。
【００５７】
また、経路案内システム１によれば、経路の案内を開始する場面または経路の案内を終了する場面の少なくとも一方において広告関連情報を通知するので、経路の途中において広告関連情報を提供することを抑制することができる。この結果、経路案内システム１によれば、広告の提供がユーザに不快感を与えたり、広告がユーザの印象に残らないことを抑制することができる。
【００５８】
さらに、経路案内システム１によれば、経路の案内を開始する場面または経路の案内を終了する場面の少なくとも一方において広告関連情報を通知すると共に、経路途中においても広告関連情報を通知するので、一貫して同じ広告主の広告関連情報を提供することができる。この結果、経路案内システム１によれば、広告がユーザの印象に残らないことを抑制することができる。
【００５９】
さらに、経路案内システム１によれば、広告主端末２００から属性を指定した依頼を受け付け、受け付けた属性に基づいて広告関連情報を通知するので、広告主の依頼に合わせて広告関連情報を通知することができる。この結果、経路案内システム１によれば、例えば無料または低額で経路案内サービスを提供する場合における採算化を計ることができる。
【００６０】
＜第１変形例＞
図１２は、第１変形例の経路案内システム１Ａを示す構成図である。第１変形例の経路案内システム１Ａにおける端末装置１００Ａは、経路案内サービスの提供を受けるためのアプリケーションプログラムをインストールする。また、経路案内システム１Ａは、上述した経路案内装置３００の機能を、経路案内装置３００Ａと広告サーバ３００Ｂとに分散する。経路案内システム１Ａは、アプリケーションプログラム、経路案内装置３００Ａ、および広告サーバ３００Ｂにより協同して処理を行うことで、経路案内サービスを提供する。
【００６１】
端末装置１００Ａは、ＵＡ部１４０に代えて、アプリケーション処理部１４２を備える。アプリケーション処理部１４２は、端末装置１００Ａのプロセッサが経路案内サービスの提供を受けるためのアプリケーションプログラムを実行することで実現されてもよいし、ＬＳＩ、ＡＳＩＣ、ＦＰＧＡなどのハードウェアによって実現されてもよいし、ソフトウェアとハードウェアが協働することで実現されてもよい。
【００６２】
経路案内装置３００Ａは、例えば、地図データベース記憶部３１０と、経路探索部３２０と、を備える。経路案内装置３００Ａは、経路探索部３２０により生成した経路情報を端末装置１００Ａおよび広告サーバ３００Ｂに送信する。
【００６３】
広告サーバ３００Ｂは、広告情報データベース記憶部３３０と、広告情報登録部３４０と、広告情報提供部３５２とを備える。広告情報提供部３５２は、広告サーバ３００Ｂのプロセッサが経路案内サービスの提供を受けるためのアプリケーションプログラムを実行することで実現されてもよいし、ＬＳＩ、ＡＳＩＣ、ＦＰＧＡなどのハードウェアによって実現されてもよいし、ソフトウェアとハードウェアが協働することで実現されてもよい。広告情報提供部３５２は、広告取得部３５０に替わって、経路情報に基づいて広告情報データベース記憶部３３０から広告関連情報を取得する。広告情報提供部３５２は、取得した広告関連情報を端末装置１００Ａに送信する。
【００６４】
アプリケーション処理部１４２は、出発地および目的地などを含むＨＴＴＰリクエストを経路案内装置３００Ａに送信することに応じ、経路情報を受信する。アプリケーション処理部１４２は、経路情報を受信した場合に、広告関連情報を受信するためのＨＴＴＰリクエストを広告サーバ３００Ｂに送信する。アプリケーション処理部１４２は、広告関連情報を受信したことに応じ、受信した経路情報および受信した広告関連情報に基づいて、経路と、経路に対応付けられた広告関連情報とを含む画像および／または音声を含むコンテンツを生成する。アプリケーション処理部１４２は、生成したコンテンツを表示部１２０および／または音声出力部１３０を用いて通知する。
【００６５】
アプリケーション処理部１４２は、例えば、予め端末装置１００Ａに記憶された地図情報に、経路および広告関連情報を重畳させることで、表示するコンテンツを生成する。また、アプリケーション処理部１４２は、広告サーバ３００Ｂから受信した広告関連情報として音声コンテンツを受信して、音声広告を出力する。また、アプリケーション処理部１４２は、音声読み上げ用アプリケーションを起動して、広告サーバ３００Ｂから受信した広告関連情報を読み上げてよい。
【００６６】
以上説明した経路案内システム１Ａによれば、広告サーバ３００Ｂから受信した広告関連情報を、経路案内装置３００Ａにより生成した経路に対応付けて通知するので、経路に対して広告主を印象付けることができる。この結果、経路案内システム１Ａによれば、より効果的に広告を提供することができる。
【００６７】
＜第２変形例＞
図１３は、第２変形例のナビゲーション装置４００を示す構成図である。第２変形例のナビゲーション装置４００は、例えば、ユーザインターフェース部４１０と、地図データベース記憶部４２０と、経路探索部４３０と、広告情報データベース記憶部４４０と、広告取得部４５０とを備える。ナビゲーション装置４００は、例えば、車両のインスト面とパネルに埋め込まれる。なお、ナビゲーション装置４００は、地図データベース記憶部４２０および広告情報データベース記憶部４４０の機能の一部を外部装置に分散させてもよい。
【００６８】
ユーザインターフェース部４１０は、例えば、操作部４１２と、表示部４１４と、音声出力部４１６とを備える。操作部４１２は、例えば、ボタンやダイヤル、タッチセンサなどである。表示部４１４は、車両の運転手により視認可能な液晶ディスプレイである。音声出力部４１６は、例えば、車両に搭載されたスピーカ装置である。
【００６９】
地図データベース記憶部４２０は、地図データベースを記憶する。経路探索部４３０は、経路情報を生成する。広告情報データベース記憶部４４０は、広告情報データベースを記憶する。広告取得部４５０は、経路探索部４３０により生成された経路情報に基づいて、広告情報データベース記憶部４４０から経路に対応付ける広告関連情報を取得する。
【００７０】
ユーザインターフェース部４１０は、経路探索部４３０から出力された経路情報に基づいて経路を表示すると共に、車両の進行方向を音声案内する。また、ユーザインターフェース部４１０は、経路案内サービスを提供している広告主に関連する情報を経路に対応付けて通知する。
【００７１】
以上説明したナビゲーション装置４００によれば、広告関連情報を経路に対応付けて通知するので、経路に対して広告主を印象付けることができる。この結果、ナビゲーション装置４００によれば、より効果的に広告を提供することができる。
【００７２】
＜ハードウェア構成＞
図１４は、端末装置１００、および経路案内装置３００のハードウェア構成の一例を示す図である。本図は、端末装置１００がスマートフォンなどの携帯電話である例を示している。端末装置１００は、例えば、ＣＰＵ１０１、ＲＡＭ１０２、ＲＯＭ１０３、フラッシュメモリなどの二次記憶装置１０４、タッチパネル１０５、および無線通信モジュール１０６が、内部バスあるいは専用通信線によって相互に接続された構成となっている。経路案内サービスに関連するアプリケーションプログラムは、ネットワークＮＷを介してダウンロードされ、二次記憶装置１０４に格納される。
【００７３】
経路案内装置３００は、例えば、ＮＩＣ３０１、ＣＰＵ３０２、ＲＡＭ３０３、ＲＯＭ３０４、フラッシュメモリやＨＤＤなどの二次記憶装置３０５、およびドライブ装置３０６が、内部バスあるいは専用通信線によって相互に接続された構成となっている。ドライブ装置３０６には、光ディスクなどの可搬型記憶媒体が装着される。二次記憶装置３０５、またはドライブ装置３０６に装着された可搬型記憶媒体に記憶されたプログラムがＤＭＡコントローラ（不図示）などによってＲＡＭ３０３に展開され、ＣＰＵ３０２によって実行されることで、経路案内装置３００の機能部が実現される。
【００７４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００７５】
１、１Ａ…経路案内システム、１００、１００Ａ…端末装置、１２０…表示部、１３０…音声出力部、１４０…ＵＡ部、１４２…アプリケーション処理部、１５０…位置取得部、２００…広告主端末、３００、３００Ａ…経路案内装置、３００Ｂ…広告サーバ、３１０…地図データベース記憶部、３２０…経路探索部、３３０…広告情報データベース記憶部、３３２…広告情報データベース、３４０…広告情報登録部、３５０…広告取得部、３５２…広告情報提供部、４００…ナビゲーション装置
【図１】
2018026035.tif 000003
【図２】
2018026035.tif 000004
【図３】
2018026035.tif 000005
【図４】
2018026035.tif 000006
【図５】
2018026035.tif 000007
【図６】
2018026035.tif 000008
【図７】
2018026035.tif 000009
【図８】
2018026035.tif 000010
【図９】
2018026035.tif 000011
【図１０】
2018026035.tif 000012
【図１１】
2018026035.tif 000013
【図１２】
2018026035.tif 000014
【図１３】
2018026035.tif 000015
【図１４】
2018026035.tif 000016
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から経路に関連する地点の属性を指定した依頼を受け付ける受付処理と、
前記生成処理において生成した前記経路に関連する地点の属性と合致する地点の属性を指定した依頼を行った広告主を抽出し、前記抽出した広告主に関連する情報を取得する取得処理と、を実行し、
前記通知処理において、前記取得処理において取得した前記広告主に関連する情報を通知する、
経路案内方法。
【請求項２】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から曜日、時間帯、季節、日柄、または天候のうち少なくとも一つの属性を指定した依頼を受け付ける受付処理と、
前記生成処理において生成した前記経路に関連する曜日、時間帯、季節、日柄、または天候のうち少なくとも一つの属性と合致する情報を指定した依頼を行った広告主を抽出し、前記抽出した前記広告主に関連する情報を取得する取得処理と、を実行し、
前記通知処理において、前記取得処理において取得した前記広告主に関連する情報を通知する、
経路案内方法。
【請求項３】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から車両の走行状態を指定した依頼を受け付ける受付処理と、
実際の車両の走行状態と合致する走行状態を指定した依頼を行った広告主を抽出し、前記抽出した広告主に関連する情報を取得する取得処理と、を実行し、
前記通知処理において、前記取得処理において取得した前記広告主に関連する情報を通知する、
経路案内方法。
【請求項４】
前記通知処理は、前記案内処理において前記経路の案内を開始する場面または前記経路の案内を終了する場面の少なくとも一方において実行される、
請求項１から３のうちいずれか１項に記載の経路案内方法。
【請求項５】
前記通知処理は、更に、前記案内処理において前記出発地から前記目的地までの途中の経路を案内している場面においても実行される、
請求項４に記載の経路案内方法。
【請求項６】
前記通知処理において、前記広告主に関連する広告を表す音声を出力する、
請求項１から５のうちいずれか１項に記載の経路案内方法。
【請求項７】
前記経路に関連する地点の属性は、前記出発地、前記目的地、または中継地の少なくとも一つを含み、
前記取得処理において、生成した前記経路の出発地、目的地、または中継地の少なくとも一つに基づいて、前記広告主に関連する情報を取得する、
請求項１に記載の経路案内方法。
【請求項８】
前記経路に関連する地点の属性は、前記経路の付近に位置する施設が属するカテゴリを含み、
前記取得処理において、生成した前記経路の付近に位置する施設が属するカテゴリに基づいて、前記広告主に関連する情報を取得する、
請求項１に記載の経路案内方法。
【請求項９】
前記情報処理装置が、
前記生成処理において、前記経路を複数生成し、
生成した複数の経路のそれぞれに、互いに異なる広告主に関連する情報を対応付けて通知し、
更に、通知した前記複数の経路のうちいずれかの前記経路を選択する操作を受け付ける受付処理を実行する、
請求項１から８のうちいずれか１項に記載の経路案内方法。
【請求項１０】
前記情報処理装置が、
前記通知処理において、生成した前記経路に関するサービスを提供する場合において、通知することを予定する広告に関する情報を通知する、
請求項１から９のいずれか１項に経路案内方法。
【請求項１１】
端末装置からの要求に基づいて出発地から目的地までの経路を生成する生成部と、
広告主端末から経路に関連する地点の属性を指定した依頼を受け付ける受付部と、
前記生成部により生成された経路に関連する地点の属性と合致する地点の属性を指定した依頼を行った広告主を抽出し、前記抽出した広告主に関連する情報を取得する取得部と、
前記取得部により取得された前記広告主に関連する情報を、前記生成部により生成された前記経路に対応付けて通知する通知部と、
を備える、経路案内装置。
【請求項１２】
端末装置からの要求に基づいて出発地から目的地までの経路を生成する生成部と、
広告主端末から曜日、時間帯、季節、日柄、または天候のうち少なくとも一つの属性を指定した依頼を受け付ける受付部と、
前記生成部により生成された前記経路に関連する曜日、時間帯、季節、日柄、または天候のうち少なくとも一つの属性と合致する情報を指定した依頼を行った広告主を抽出し、前記抽出した前記広告主に関連する情報を取得する取得部と、
前記取得部により取得された前記広告主に関連する情報を、前記生成部により生成された前記経路に対応付けて通知する通知部と、
を備える、経路案内装置。
【請求項１３】
端末装置からの要求に基づいて出発地から目的地までの経路を生成する生成部と、
広告主端末から車両の走行状態を指定した依頼を受け付ける受付部と、
実際の車両の走行状態と合致する走行状態を指定した依頼を行った広告主を抽出し、前記抽出した広告主に関連する情報を取得する取得部と、
前記取得部により取得された前記広告主に関連する情報を、前記生成部により生成された前記経路に対応付けて通知する通知部と、
を備える、経路案内装置。
【請求項１４】
コンピュータに、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から経路に関連する地点の属性を指定した依頼を受け付ける受付処理と、
前記生成処理において生成した前記経路に関連する地点の属性と合致する地点の属性を指定した依頼を行った広告主を抽出し、前記抽出した広告主に関連する情報を取得する取得処理と、を実行させ、
前記通知処理において、前記取得処理において取得した前記広告主に関連する情報を通知させる、
経路案内プログラム。
【請求項１５】
コンピュータに、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から曜日、時間帯、季節、日柄、または天候のうち少なくとも一つの属性を指定した依頼を受け付ける受付処理と、
前記生成処理において生成した前記経路に関連する曜日、時間帯、季節、日柄、または天候のうち少なくとも一つの属性と合致する情報を指定した依頼を行った広告主を抽出し、前記抽出した前記広告主に関連する情報を取得する取得処理と、を実行させ、
前記通知処理において、前記取得処理において取得した前記広告主に関連する情報を通知させる、
経路案内プログラム。
【請求項１６】
コンピュータに、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から車両の走行状態を指定した依頼を受け付ける受付処理と、
実際の車両の走行状態と合致する走行状態を指定した依頼を行った広告主を抽出し、前記抽出した広告主に関連する情報を取得する取得処理と、を実行させ、
前記通知処理において、前記取得処理において取得した前記広告主に関連する情報を通知させる、
経路案内プログラム。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から天候の属性を指定した依頼を受け付ける受付処理と、
前記生成処理において生成した前記経路に関連する天候の属性と合致する情報を指定した依頼を行った広告主を抽出し、前記抽出した前記広告主に関連する情報を取得する取得処理と、を実行し、
前記通知処理において、前記取得処理において取得した前記広告主に関連する情報を通知する、
経路案内方法。
【請求項２】
情報処理装置が、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から車両の連続走行距離を指定した依頼を受け付ける受付処理と、
実際の車両の連続走行距離と対応する連続走行距離を指定した依頼を行った広告主を抽出し、前記抽出した広告主に関連する情報を取得する取得処理と、を実行し、
前記通知処理において、前記取得処理において取得した前記広告主に関連する情報を通知する、
経路案内方法。
【請求項３】
前記通知処理は、前記案内処理において前記経路の案内を開始する場面または前記経路の案内を終了する場面の少なくとも一方において実行される、
請求項１または２に記載の経路案内方法。
【請求項４】
前記通知処理は、更に、前記案内処理において前記出発地から前記目的地までの途中の経路を案内している場面においても実行される、
請求項３に記載の経路案内方法。
【請求項５】
前記通知処理において、前記広告主に関連する広告を表す音声を出力する、
請求項１から４のうちいずれか１項に記載の経路案内方法。
【請求項６】
前記情報処理装置が、
前記生成処理において、前記経路を複数生成し、
生成した複数の経路のそれぞれに、互いに異なる広告主に関連する情報を対応付けて通知し、
更に、通知した前記複数の経路のうちいずれかの前記経路を選択する操作を受け付ける受付処理を実行する、
請求項１から５のうちいずれか１項に記載の経路案内方法。
【請求項７】
前記情報処理装置が、
前記通知処理において、生成した前記経路に関するサービスを提供する場合において、通知することを予定する広告に関する情報を通知する、
請求項１から６のいずれか１項に経路案内方法。
【請求項８】
端末装置からの要求に基づいて出発地から目的地までの経路を生成する生成部と、
広告主端末から天候の属性を指定した依頼を受け付ける受付部と、
前記生成部により生成された前記経路に関連する天候の属性と合致する情報を指定した依頼を行った広告主を抽出し、前記抽出した前記広告主に関連する情報を取得する取得部と、
前記取得部により取得された前記広告主に関連する情報を、前記生成部により生成された前記経路に対応付けて通知する通知部と、
を備える、経路案内装置。
【請求項９】
端末装置からの要求に基づいて出発地から目的地までの経路を生成する生成部と、
広告主端末から車両の連続走行距離を指定した依頼を受け付ける受付部と、
実際の車両の連続走行距離と対応する連続走行距離を指定した依頼を行った広告主を抽出し、前記抽出した広告主に関連する情報を取得する取得部と、
前記取得部により取得された前記広告主に関連する情報を、前記生成部により生成された前記経路に対応付けて通知する通知部と、
を備える、経路案内装置。
【請求項１０】
コンピュータに、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から天候の属性を指定した依頼を受け付ける受付処理と、
前記生成処理において生成した前記経路に関連する天候の属性と合致する情報を指定した依頼を行った広告主を抽出し、前記抽出した前記広告主に関連する情報を取得する取得処理と、を実行させ、
前記通知処理において、前記取得処理において取得した前記広告主に関連する情報を通知させる、
経路案内プログラム。
【請求項１１】
コンピュータに、
出発地から目的地までの経路を生成する生成処理と、
前記経路に関するサービスを提供している広告主に関連する情報を、前記経路に対応付けて通知する通知処理と、
前記経路を案内する案内処理と、
広告主端末から車両の連続走行距離を指定した依頼を受け付ける受付処理と、
実際の車両の連続走行距離と対応する連続走行距離を指定した依頼を行った広告主を抽出し、前記抽出した広告主に関連する情報を取得する取得処理と、を実行させ、
前記通知処理において、前記取得処理において取得した前記広告主に関連する情報を通知させる、
経路案内プログラム。